【手続補正書】
【提出日】平成17年7月28日(2005.7.28)
【手続補正１】
【補正対象書類名】特許請求の範囲
【補正対象項目名】全文
【補正方法】変更
【補正の内容】
【特許請求の範囲】
【請求項１】
移動局が休眠モードに入った後で、ポイント ツウ ポイントプロトコル(Point-to-Point Protocol, PPP)セッションを再ネゴシエートするかどうかを判断する方法であって、パケットデータサービスノード（packet data service node, PDSN）に接続された第１のパケット制御（packet control, PCF）から、ＰＤＳＮに接続された第２のＰＣＦへの変更を検出することと、
第２のＰＣＦが、移動局によって以前に訪問されているかどうか、および第２のＰＣＦに接続されたＰＤＳＮが、第１のＰＣＦに接続されたＰＤＳＮと同じであるかどうかを判断することと、
第２のＰＣＦが、移動局によって以前に訪問されていて、かつ第２のＰＣＦに接続されたＰＤＳＮが、第１のＰＣＦに接続されたＰＤＳＮと同じであるときは、移動局が、第２のＰＣＦに接続されたＰＤＳＮへの接続を要求し、ＰＰＰセッションを再ネゴシエートすることを要求しないことを、無線アクセスネットワーク（radio access network, RAN）に示すことと、
第２のＰＣＦが、移動局によって以前に訪問されていて、かつ第２のＰＣＦに接続されたＰＤＳＮが、第１のＰＣＦに接続されたＰＤＳＮと異なるときは、ＰＰＰセッションを再ネゴシエートすることと、
第２のＰＣＦが、移動局によって以前に訪問されていないときは、ＰＰＰセッションを再ネゴシエートすることとを含む方法。
【請求項２】
第２のＰＣＦが、移動局によって以前に訪問されていて、かつ第２のＰＣＦに接続されたＰＤＳＮが、第１のＰＣＦに接続されたＰＤＳＮと異なるときは、ＰＰＰセッションのための再ネゴシエーションが、移動局から発信される請求項１記載の方法。
【請求項３】
移動局が、高度発信メッセージを、１のデータ送信準備完了（Data-Ready-Send, DRS）ビットと共に送るステップをさらに含む請求項２記載の方法。
【請求項４】
第２のＰＣＦが、移動局によって以前に訪問されていないときは、ＰＰＰセッションのための再ネゴシエーションが、第２のＰＣＦに接続されたＰＤＳＮによって開始される請求項１記載の方法。
【請求項５】
第２のＰＣＦに接続されたＰＤＳＮが、ＰＰＰセッションのための再ネゴシエーションを開始する前に、移動局が、ＰＰＰを再ネゴシエートすることなく、エージェント請求を送り、第２のＰＣＦに接続されたＰＤＳＮのインターネットプロトコル（internet protocol, IP）アドレスを確認することを試みる請求項４記載の方法。
【請求項６】
移動局が、高度発信メッセージを、１のデータ送信準備完了（ＤＲＳ）ビットと共に送るステップをさらに含む請求項４記載の方法。
【請求項７】
移動局が、第２のＰＣＦに接続されたＰＤＳＮへの接続を要求する指示が、高度発信メッセージを、０のデータ送信準備完了（ＤＲＳ）ビットと共に送ることによって達成される請求項１記載の方法。
【請求項８】
複数のプロセッサ実行可能命令を使用して符号化されるコンピュータ読み出し可能媒体であって、プロセッサ実行可能命令が、
第１のパケットデータサービスノード（ＰＤＳＮ）に接続された第１のパケット制御機能（ＰＣＦ）から、ＰＤＳＮに接続された第２のＰＣＦへの変更を検出するための命令と、
第２のＰＣＦが、移動局によって以前に訪問されているかどうか、および第２のＰＣＦに接続されたＰＤＳＮが、第１のＰＣＦに接続されたＰＤＳＮと同じであるかどうかを判断するための命令と、
第２のＰＣＦが、移動局によって以前に訪問されていて、かつ第２のＰＣＦに接続されたＰＤＳＮが、第１のＰＣＦに接続されたＰＤＳＮと同じであるときは、移動局が、第２のＰＣＦに接続されたＰＤＳＮへの接続を要求し、ＰＰＰセッションを再ネゴシエートすることを要求しないことを、無線アクセスネットワーク（ＲＡＮ）に示すための命令と、
第２のＰＣＦが、移動局によって以前に訪問されていて、かつ第２のＰＣＦに接続されたＰＤＳＮが、第１のＰＣＦに接続されたＰＤＳＮと異なるときは、ＰＰＰセッションを再ネゴシエートするための命令と、
第２のＰＣＦが、移動局によって以前に訪問されていないときは、ＰＰＰセッションを再ネゴシエートするための命令とであるコンピュータ読み出し可能媒体。
【請求項９】
第２のＰＣＦが、移動局によって以前に訪問されていて、かつ第２のＰＣＦに接続されたＰＤＳＮが、第１のＰＣＦに接続されたＰＤＳＮと異なるときは、ＰＰＰセッションのための再ネゴシエーションが、移動局から発信される請求項８記載のコンピュータ読み出し可能媒体。
【請求項１０】
移動局が、高度発信メッセージを、１のデータ送信準備完了（ＤＲＳ）ビットと共に送るステップをさらに含む請求項９記載のコンピュータ読み出し可能媒体。
【請求項１１】
第２のＰＣＦが、移動局によって以前に訪問されていないときは、ＰＰＰセッションのための再ネゴシエーションが、第２のＰＣＦに接続されたＰＤＳＮによって開始される請求項８記載のコンピュータ読み出し可能媒体。
【請求項１２】
第２のＰＣＦに接続されたＰＤＳＮが、ＰＰＰセッションのための再ネゴシエーションを開始する前に、移動局が、ＰＰＰを再ネゴシエートすることなく、エージェント請求を送り、第２のＰＣＦに接続されたＰＤＳＮのインターネットプロトコル（ＩＰ）アドレスを確認することを試みる請求項１１記載のコンピュータ読み出し可能媒体。
【請求項１３】
移動局が、高度発信メッセージを、１のデータ送信準備完了（ＤＲＳ）ビットと共に送るステップをさらに含む請求項１１記載のコンピュータ読み出し可能媒体。
【請求項１４】
移動局が、第２のＰＣＦに接続されたＰＤＳＮへの接続を要求する指示が、高度発信メッセージを、０のデータ送信準備完了（ＤＲＳ）ビットと共に送ることによって達成される請求項８記載のコンピュータ読み出し可能媒体。
【請求項１５】
移動局が休眠モードに入った後で、ポイント ツウ ポイントプロトコル(ＰＰＰ)セッションを再ネゴシエートするときを判断する装置をもつ移動局であって、装置が、
パケットデータサービスノード（ＰＤＳＮ）に接続された第１のパケット制御機能（packet control function, PCF）から、ＰＤＳＮに接続された第２のＰＣＦへの変更を検出する手段と、
第２のＰＣＦが、移動局によって以前に訪問されているかどうか、および第２のＰＣＦに接続されたＰＤＳＮが、第１のＰＣＦに接続されたＰＤＳＮと同じであるかどうかを判断する手段と、
第２のＰＣＦが、移動局によって以前に訪問されていて、かつ第２のＰＣＦに接続されたＰＤＳＮが、第１のＰＣＦに接続されたＰＤＳＮと同じであるときは、移動局が、第２のＰＣＦに接続されたＰＤＳＮへの接続を要求し、ＰＰＰセッションを再ネゴシエートすることを要求しないことを、無線アクセスネットワーク（ＲＡＮ）に示す手段と、
第２のＰＣＦが、移動局によって以前に訪問されていて、かつ第２のＰＣＦに接続されたＰＤＳＮが、第１のＰＣＦに接続されたＰＤＳＮと異なるときは、ＰＰＰセッションを再ネゴシエートする手段と、
第２のＰＣＦが、移動局によって以前に訪問されていないときは、ＰＰＰセッションを再ネゴシエートする手段とを含む移動局。
【請求項１６】
第２のＰＣＦが、移動局によって以前に訪問されていて、かつ第２のＰＣＦに接続されたＰＤＳＮが、第１のＰＣＦに接続されたＰＤＳＮと異なるときは、ＰＰＰセッションを再ネゴシエートする手段が、ＰＰＰセッションの再ネゴシエーションを発信する手段を含む請求項１５記載の移動局。
【請求項１７】
高度発信メッセージを、１または０のデータ送信準備完了（ＤＲＳ）ビットと共に送る手段をさらに含む請求項１５記載の移動局。